(57)【特許請求の範囲】
【請求項１】
基材シートと、前記基材シート上に形成され、生分解性樹脂を含む樹脂層とを含み、
前記樹脂層は加工助剤をさらに含み、前記加工助剤はメチルメタクリレート６０重量部〜８６重量部、アルキルメタクリレート１４重量部〜３９．９重量部、及び、機能性単量体０．０００１重量部〜０．５重量部の３元共重合体であり、
前記機能性単量体はフェニル（メタ）アクリレート、ベンジル（メタ）アクリレート、１，３―ブチレングリコールジ（メタ）アクリレート、１，４―ブチレングリコールジ（メタ）アクリレート、ジビニルベンゼン、エチレングリコールジ（メタ）アクリレート又はジエチレングリコールジ（メタ）アクリレートであることを特徴とする壁紙。
【請求項２】
前記基材シートが模造紙又は不織布である、請求項１に記載の壁紙。
【請求項３】
前記基材シートの坪量が８０ｇ／ｍ2〜２００ｇ／ｍ2である、請求項１に記載の壁紙。
【請求項４】
前記基材シートの厚さが０.１ｍｍ〜０.３ｍｍである、請求項１に記載の壁紙。
【請求項５】
前記生分解性樹脂が、澱粉、ポリ（ヒドロキシ酪酸）、ポリ（ヒドロキシバレリアン酸）、ヒドロキシ酪酸―ヒドロキシバレリアン酸共重合体、ポリ乳酸、ポリ（カプロラクトン）、ポリ（ブチレンサクシネート）、ブチレンサクシネート―アジペート共重合体及びブチレンアジペート―テレフタレート共重合体からなる群から選択された一つ以上である、請求項１に記載の壁紙。
【請求項６】
前記生分解性樹脂は、ポリ乳酸を含有する第１の樹脂成分と、ポリ（ブチレンサクシネート）、ブチレンサクシネート―アジペート共重合体及びブチレンアジペート―テレフタレート共重合体からなる群から選択された一つ以上を含む第２の樹脂成分と、を含む、請求項１に記載の壁紙。
【請求項７】
前記樹脂層は、前記第１の樹脂成分１００重量部に対して、１０重量部〜５００重量部の前記第２の樹脂成分を含む、請求項６に記載の壁紙。
【請求項８】
前記樹脂層は、雲母、タルク及び粘土からなる群から選択された一つ以上の無機成分をさらに含む、請求項１に記載の壁紙。
【請求項９】
前記無機成分の平均直径が１.０ｎｍ〜１００ｎｍである、請求項８に記載の壁紙。
【請求項１０】
前記樹脂層は、前記生分解性樹脂１００重量部に対して５重量部〜２０重量部の前記無機成分を含む、請求項８に記載の壁紙。
【請求項１１】
前記樹脂層は可塑剤をさらに含む、請求項１に記載の壁紙。
【請求項１２】
前記樹脂層は滑剤をさらに含む、請求項１に記載の壁紙。
【請求項１３】
前記樹脂層はフィラーをさらに含む、請求項１に記載の壁紙。
【請求項１４】
前記樹脂層の表面に形成された印刷層をさらに含む、請求項１に記載の壁紙。
【請求項１５】
前記樹脂層にエンボスパターンが与えられている、請求項１に記載の壁紙。
【発明の詳細な説明】
【技術分野】
【０００１】
本発明は、壁紙に関するものである。
【背景技術】
【０００２】
ＰＶＣ（ｐｏｌｙ（ｖｉｎｙｌ  ｃｈｌｏｒｉｄｅ））壁紙は、紙などの基材上にＰＶＣをコーティングして製造された壁紙である。ＰＶＣ壁紙は、シルク壁紙とも呼ばれるもので、現在最も汎用的に使用されている壁紙の一つである。しかし、前記ＰＶＣ壁紙は、全量再生が不可能な化石エネルギー資源で製造されるので、今後、石油資源の枯渇などによって原材料の需給困難及び持続的な価格上昇が発生すると予想されている。また、ＰＶＣ壁紙は、製造などの過程で多量の温室ガス（例えば、ＣＯ2など）を排出し、焼却廃棄又は火事発生時に環境ホルモン及び有毒ガスなどの有害物質を放出するという問題を有する。また、ＰＶＣ壁紙を埋め立て廃棄する場合は、自然環境下でほぼ永久的に残存するため、大きな環境負担を誘発するようになる。
【発明の概要】
【発明が解決しようとする課題】
【０００３】
本発明は、壁紙を提供することを目的とする。
【課題を解決するための手段】
【０００４】
本発明は、前記課題を解決するための手段として、基材シートと、前記基材シート上に形成され、生分解性樹脂を含む樹脂層とを有する壁紙を提供する。
【０００５】
本発明は、前記課題を解決するための他の手段として、基材シート上に、生分解性樹脂を含む樹脂組成物を使用して樹脂層を形成することを含む壁紙を提供する。
【発明の効果】
【０００６】
本発明の壁紙は、油価上昇などの要因とは関係なく低エネルギー及び低費用で製造することができ、製造、使用、火事発生又は廃棄過程で温室ガス及び有害物質を排出しない。また、本発明の壁紙は、埋め立て廃棄するときにも自然環境下で容易に分解される。
【図面の簡単な説明】
【０００７】
【図１】本発明の多様な態様に係る壁紙を模式的に示した断面図である。
【図２】本発明の多様な態様に係る壁紙を模式的に示した断面図である。
【発明を実施するための形態】
【０００８】
本発明は、基材シートと、前記基材シート上に形成され、生分解性樹脂を含む樹脂層とを有する壁紙に関するものである。
【０００９】
以下、本発明に係る壁紙を具体的に説明する。
【００１０】
図１は、本発明の壁紙の一例示を示す図である。図１に示すように、本発明の壁紙１は、基材シート１０と、前記基材シート１０上に形成された樹脂層２０とを含む。
【００１１】
本発明の壁紙に含まれる基材シートの種類は特別に制限されない。本発明では、例えば、既存のＰＶＣ壁紙で適用されていた基材シートを含む、この分野で公知となった一般的な素材を前記基材シートとして使用することができる。本発明では、例えば、前記基材シートとして、模造紙又は不織布などを使用することができる。前記不織布の例としては、ポリエステルのような合成繊維で製造された不織布、パルプなどで製造された不織布、又はポリエステル及びパルプの複合不織布などを挙げることができるが、これらに制限されることはない。
【００１２】
本発明で、前記基材シートは、坪量が８０ｇ／ｍ2〜２００ｇ／ｍ2の範囲にあり得る。本発明で、基材シートの坪量が８０ｇ／ｍ2未満であると、製造、施工又は使用過程で壁紙が破れて損傷するおそれがあり、基材シートの坪量が２００ｇ／ｍ2を超えると、壁紙が過度に重くなり、カーリング（ｃｕｒｌｉｎｇ）が発生することによって施工性が低下したり、樹脂層と基材シートとの界面剥離などの現象が生じるおそれがある。
【００１３】
本発明で、前記基材シートの厚さは約０.１ｍｍ〜０.３ｍｍの範囲であり得る。本発明で基材シートの厚さが０.１ｍｍ未満であると、製造、施工又は使用過程で壁紙に損傷が発生するおそれがあり、基材シートの厚さが０.３ｍｍを超えると、施工性が低下するおそれがある。しかし、前記基材シートの厚さは、本発明の一つの例示に過ぎない。すなわち、本発明では、壁紙が適用される用途によって、前記基材シートの厚さを適宜調節することができる。
【００１４】
本発明の壁紙は、前記のような基材シート上に形成された樹脂層を含み、前記樹脂層は生分解性樹脂を含む。本発明で、前記のような樹脂層は、生分解性樹脂を含むコーティング液を基材シート上に塗布し、乾燥、熟成及び／又は硬化工程を経たり、又は、生分解性樹脂を含む原料を押出、カレンダリング又はプレス工程などに適用して樹脂層を製造した後、これを基材シートとラミネートして形成することができる。
【００１５】
本発明で、前記樹脂層に含まれる生分解性樹脂の種類は、自然環境下で容易に分解される特性を有し、かつ壁紙に優れた審美感及び柔軟性などの特性を与えられるものであれば、特別に限定されない。本発明で使用可能な生分解性樹脂の例としては、とうもろこし、じゃがいも又はさつまいもなどから抽出した澱粉、又は前記澱粉を醗酵させて製造した乳酸又はラクチドなどの重合体（ポリ乳酸）などのような天然高分子や、ポリ乳酸（ｐｏｌｙ（ｌａｃｔｉｃ  ａｃｉｄ）；ＰＬＡ）、ポリ（ヒドロキシ酪酸）（ｐｏｌｙ（ｈｙｄｒｏｘｙｂｕｔｙｒｉｃ  ａｃｉｄ）；ＰＨＢ）、ポリ（ヒドロキシバレリアン酸）（ｐｏｌｙ（ｈｙｄｒｏｘｙｖａｌｅｒｉｃ  ａｃｉｄ）；ＰＨＶ）又はヒドロキシ酪酸―ヒドロキシバレリアン酸共重合体（ｈｙｄｒｏｘｙｂｕｔｙｒｉｃ  ａｃｉｄ／ｈｙｄｒｏｘｙ  ｖａｌｅｒｉｃ  ａｃｉｄ  ｃｏｐｏｌｙｍｅｒ；ＰＨＢＶ）などのような微生物によって合成された高分子や、ポリ（乳酸）（ｐｏｌｙ（ｌａｃｔｉｃ  ａｃｉｄ）；ＰＬＡ）、ポリ（カプロラクトン）（ｐｏｌｙ（ｃａｐｒｏｌａｃｔｏｎｅ）；ＰＣＬ）、ポリ（ブチレンサクシネート）（ｐｏｌｙ（ｂｕｔｈｙｌｅｎｅ  ｓｕｃｃｉｎａｔｅ）；ＰＢＳ）、ブチレンサクシネート―アジペート共重｛さんえん｝合体（ｐｏｌｙ（ｂｕｔｙｌｅｎｅｓｕｃｃｉｎａｔｅ―ｃｏ−ａｄｉｐａｔｅ）；ＰＢＳＡ）及びブチレンアジペート―テレフタレート共重合体（ｐｏｌｙ（ｂｕｔｙｌｅｎｅａｄｉｐａｔｅ―ｃｏ―ｔｅｒｅｐｈｔｈａｌａｔｅ）；ＰＢＡＴ）などのように化学的工程を通して合成された高分子などを挙げることができ、これらのうち、ポリ（乳酸）（ＰＬＡ）、ポリ（ブチレンサクシネート）（ＰＢＳ）、ブチレンサクシネート―アジペート共重合体（ＰＢＳＡ）及びブチレンアジペート―テレフタレート共重合体（ＰＢＡＴ）などの一種又は二種以上の樹脂を使用できるが、これに制限されることはない。
【００１６】
本発明では、壁紙の柔軟性確保及び生分解性の向上などの観点で、前記のような生分解性樹脂のうち２種以上の複合樹脂を使用して前記樹脂層を形成することが望ましい。具体的に、本発明で、前記樹脂層は、ポリ乳酸（ＰＬＡ）を含む第１の樹脂成分と、ポリ（ブチレンサクシネート）（ＰＢＳ）、ブチレンサクシネート―アジペート共重合体（ＰＢＳＡ）及びブチレンアジペート―テレフタレート共重合体（ＰＢＡＴ）からなる群から選択された一つ以上を含む第２の樹脂成分とを含むことができる。すなわち、本発明で、前記樹脂層は、ポリ乳酸（ＰＬＡ）を必須成分として含み、ポリ（ブチレンサクシネート）（ＰＢＳ）、ブチレンサクシネート―アジペート共重合体（ＰＢＳＡ）及びブチレンアジペート―テレフタレート共重合体（ＰＢＡＴ）からなる群から選択された一つ以上の樹脂をさらに含むことができる。本発明で、樹脂層を前記のような複合樹脂で構成することによって、壁紙の柔軟性を極大化し、生分解性、審美性などのその他物性も優秀に維持することができる。
【００１７】
本発明で、樹脂層が前記のような複合樹脂成分を含む場合、前記樹脂層は、第１の樹脂成分（ＰＬＡ）１００重量部に対して、１０重量部〜５００重量部、望ましくは１０重量部〜２５０重量部、より望ましくは１０重量部〜１００重量部、最も望ましくは１０重量部〜６０重量部の第２の樹脂成分を含むことができる。本発明で、第２の樹脂成分の含量が１０重量部未満であると、施工又は使用過程でカーリングなどが発生したり、樹脂層の柔軟性が大きく低下するおそれがあり、第２の樹脂成分の含量が５００重量部を超えると、樹脂層又は樹脂成分の耐熱性が低下するおそれがある。
【００１８】
本発明で、前記樹脂層は、耐熱性、耐湿性及び樹脂層を構成する成分間の相溶性の改善などの観点で、無機成分をさらに含むことができ、より望ましくは、ナノサイズの無機成分をさらに含むことができる。
【００１９】
この場合、使用可能な無機成分の例としては、雲母、タルク（ｔａｌｃ）又は粘土（例えば、ナノクレイ）などの一種又は二種以上を挙げることができるが、これらに制限されることはない。
【００２０】
本発明で、前記無機成分は、平均直径又は平均大きさが１.０ｎｍ〜１００ｎｍであり得る。本発明で、前記直径又は大きさが１.０ｎｍ未満であると、樹脂層内で無機成分が凝集することによって分散性が低下するおそれがあり、平均直径又は平均大きさが１００ｎｍを超えると、無機成分の添加による効果が微々たるものになるおそれがある。
【００２１】
本発明で、前記のような無機成分は、生分解性樹脂１００重量部に対して、５重量部〜２０重量部の量で含まれる。無機成分の含量を前記範囲に制御することによって、無機成分の添加による耐熱性、耐湿性及び相溶性などの改善効果を極大化することができる。
【００２２】
また、本発明の壁紙で、前記樹脂層は、可塑剤をさらに含むことができる。前記可塑剤は、樹脂層に優れた柔軟性、耐衝撃性及び溶融効率などを与えることができる。
【００２３】
本発明で使用可能な可塑剤の種類は、上述した作用を行えるものであれば特別に制限されないが、環境に優しい特性を有する可塑剤であることが望ましい。本発明で使用可能な可塑剤の例としては、フタレート系化合物、クエン酸系化合物（例えば、クエン酸又はクエン酸エステルなど）、脂肪酸エステル、ポリアルキレングリコール（例えば、ポリエチレングリコール又はポリプロピレングリコールなど）、グリセロールエステル、植物性オイル、変性植物性オイル、アリルフォスフェートエステル、ジアルキルエーテルジエステル、トリカルボン酸エステル、エポキシ化オイル、エポキシ化エステル、ポリエステル、ポリグリコールジエステル、アリルエーテルジエステル、脂肪族ジエステル、アルキルエーテルモノエステル及びジカルボン酸エステルなどの一種又は二種以上の混合物を挙げることができ、これらのうち、環境に優しい特性を考慮して、クエン酸系化合物、脂肪酸エステル、ポリアルキレングリコール、グリセロールエステル、植物性オイル又は変性植物性オイルの一種又は二種以上の混合物を使用できるが、これらに制限されることはない。
【００２４】
本発明の一態様で、前記変性植物性オイルは、エポキシ化植物性オイル又はその他変性植物性オイルであり、例えば、エポキシ化大豆油、具体的には、ＭＳＯ（ｅｐｏｘｉｄｉｚｅｄ  ｍｅｔｈｙｌ  ｓｏｙａｔｅ）、ＥＬＯ（ｅｐｏｘｉｄｉｚｅｄ  ｌｉｎｓｅｅｄ  ｏｉｌ）、ＥＳＯ（ｅｐｏｘｉｄｉｚｅｄ  ｓｏｙ  ｏｉｌ）又はＥＴＯ（ｅｐｏｘｉｄｉｚｅｄ  ｔａｌｌ  ｏｉｌ）などである。
【００２５】
また、本発明では、前記クエン酸系可塑剤が、例えば、トリエチルシトレート（ＴＥＣ、ｔｒｉｅｔｈｙｌ  ｃｉｔｒａｔｅ）、アセチルトリエチルシトレート（ＡＴＥＣ、ａｃｅｔｙｌ  ｔｒｉｅｔｈｙｌ  ｃｉｔｒａｔｅ）、トリプロピルシトレート（ＴＰＣ、ｔｒｉｐｒｏｐｙｌ  ｃｉｔｒａｔｅ）、アセチルトリプロピルシトレート（ＡＴＰＣ、ａｃｅｔｙｌ  ｔｒｉｐｒｏｐｙｌ  ｃｉｔｒａｔｅ）、トリブチルシトレート（ＴＢＣ、ｔｒｉｂｕｔｙｌ  ｃｉｔｒａｔｅ）、アセチルトリブチルシトレート（ＡＴＢＣ、ａｃｅｔｙｌ  ｔｒｉｂｕｔｙｌ  ｃｉｔｒａｔｅ）、トリへキシルシトレート（ＴＨＣ、ｔｒｉｈｅｘｙｌ  ｃｉｔｒａｔｅ）、アセチルトリへキシルシトレート（ＡＴＨＣ、ａｃｅｔｙｌ  ｔｒｉｈｅｘｙｌ  ｃｉｔｒａｔｅ）又はシトレートと変性植物性オイルの混合物などであるが、望ましくは、アセチルトリブチルシトレート、より望ましくは、アセチルトリブチルシトレートと変性植物性オイルの混合物である。
【００２６】
本発明の樹脂層で、前記可塑剤は、生分解性樹脂１００重量部に対して、５重量部〜６０重量部、望ましくは５重量部〜５０重量部、より望ましくは１０重量部〜５０重量部、さらに望ましくは１５重量部〜４０重量部で含まれる。本発明で可塑剤の含量が５重量部未満であると、可塑剤の添加による物性改善効果が微々たるものになるおそれがあり、可塑剤の含量が６０重量部を超えると、樹脂の軟化度が過度に増加したり、加工が難しくなるおそれがある。
【００２７】
また、本発明の壁紙で、樹脂層は、加工助剤をさらに含むことができる。前記加工助剤は、溶融効率、溶融強度、粘度特性、耐衝撃性、耐熱性及び機械的強度などを改善し、本発明の樹脂層の成形性を向上させることができる。
【００２８】
本発明で使用可能な加工助剤の具体的な種類は特別に制限されず、この分野で公知となっている一般的な成分を加工助剤として使用することができる。本発明で使用可能な加工助剤の例としては、メチルメタクリレート（ＭＭＡ；ｍｅｔｈｙｌ  ｍｅｔｈａｃｒｙｌａｔｅ）を含む単量体混合物の３元共重合体を挙げることができる。本発明において「３元共重合体」という用語は、メチルメタクリレートを基本成分として含み、その他に２種の単量体をさらに含む単量体混合物を重合させて製造された３成分共重合体を意味する。
【００２９】
本発明では、前記単量体混合物は、３元共重合体を構成する成分であって、アルキル（メタ）アクリレートをさらに含むことができる。単量体混合物にアルキル（メタ）アクリレートが含まれる場合、アルキル（メタ）アクリレートは、メチルメタクリレートを除いた１種又は２種の単量体である。本発明で使用可能なアルキル（メタ）アクリレートの種類は特別に制限されず、例えば、炭素数１〜１８のアルキル基を有するアルキル（メタ）アクリレート、具体的には、メチルアクリレート、エチル（メタ）アクリレート、ｎ―ブチル（メタ）アクリレート、ラウリル（メタ）アクリレート、ステアリル（メタ）アクリレート、２―エチルへキシル（メタ）アクリレート又はシクルロへキシル（メタ）アクリレートを使用することができる。
【００３０】
また、本発明で、前記単量体混合物は、前記成分と共に、機能性単量体、具体的には、アリル（メタ）アクリレート又は多官能性単量体をさらに含むことができる。この場合、本発明の３元共重合体は、メチルメタクリレート、アルキル（メタ）アクリレート及び機能性単量体の共重合体である。前記アリル（メタ）アクリレート又は多官能性単量体の具体的な種類は特別に制限されず、例えば、フェニル（メタ）アクリレート、ベンジル（メタ）アクリレート、１，３―ブチレングリコールジ（メタ）アクリレート、１，４―ブチレングリコールジ（メタ）アクリレート、ジビニルベンゼン、エチレングリコールジ（メタ）アクリレート又はジエチレングリコールジ（メタ）アクリレートを使用することができる。
【００３１】
一方、本発明で３元共重合体をなす単量体混合物がメチルメタクリレート及びアルキル（メタ）アクリレートを含む場合、前記単量体混合物は、メチルメタクリレート６０重量部〜８６重量部、望ましくは７５重量部〜８５重量部と、アルキルメタクリレート１４重量部〜４０重量部、望ましくは１５重量部〜２５重量部とを含むことができる。
【００３２】
また、前記単量体混合物が、メチルメタクリレート、アルキル（メタ）アクリレート及び前記機能性単量体を含む場合、前記混合物は、メチルメタクリレート６０重量部〜８６重量部、望ましくは７５重量部〜８５重量部と、アルキルメタクリレート１４重量部〜３９.９重量部、望ましくは１５重量部〜２５重量部と、機能性単量体０.０００１重量部〜０.１重量部、望ましくは０.００１重量部〜０.５重量部とを含むことができる。
【００３３】
前記単量体混合物に含まれるメチルメタクリレートの含量が６０重量部未満であると、生分解性樹脂などとの相溶性が低下することによって加工性が悪化するおそれがあり、メチルメタクリレートの含量が８６重量部を超えると、加工時に初期分散性が低下することによって発泡不均一現象などが誘発されるおそれがある。
【００３４】
一方、前記単量体混合物が機能性単量体を含む場合、その含量が０.０００１重量部未満であると、３元共重合体の分子量低下によって発泡性改善効果などが微々たるものになるおそれがあり、機能性単量体の含量が０.１重量部を超えると、加工効率や発泡加工性が低下するおそれがある。
【００３５】
本発明で、前記のような成分からなる加工助剤は、重量平均分子量が５０万〜８００万、望ましくは１００万〜５００万である。本発明で、前記加工助剤の重量平均分子量が５０万未満であると、加工助剤による物性改善効果が微々たるものになるおそれがあり、 前記加工助剤の重量平均分子量が８００万を超えると、溶融効率低下などによって加工性改善効果が微々たるものになるおそれがある。
【００３６】
また、本発明で、前記加工助剤は、相対粘度（ｒｅｌ）が４.０ｃｐ〜１２.０ｃｐの範囲にあり得る。本発明で、加工助剤の相対粘度が４.０ｃｐ未満であると、樹脂組成物の発泡性及び発泡セルの安定性が低下するおそれがあり、加工助剤の相対粘度が１２.０ｃｐを超えると、加工特性が低下するおそれがある。
【００３７】
一方、本発明で、加工助剤の前記相対粘度は、例えば、所定量（例えば、０.２５ｇ）の加工助剤を、所定量の溶媒（例えば、ＴＨＦ、５０ｍＬ）に溶解した溶液に対して、３０℃の恒温槽でウベルホード（ｕｂｂｅｌｈｏｄｅ）粘度計などを使用して測定することができる。
【００３８】
本発明で、前記のような加工助剤を製造する方法は特別に制限されず、例えば、上述した単量体混合物を使用した溶液重合、光重合、塊状重合（ｂｕｌｋ  ｐｏｌｙｍｅｒｉｚａｔｉｏｎ）、懸濁重合（ｓｕｓｐｅｎｓｉｏｎ  ｐｏｌｙｍｅｒｉｚａｔｉｏｎ）又は乳化重合（ｅｍｕｌｓｉｏｎ  ｐｏｌｙｍｅｒｉｚａｔｉｏｎ）などを通して加工助剤を製造することができる。
【００３９】
特に、本発明では、上述した各条件を満足する加工助剤の製造のために、前記乳化重合を使用して加工助剤を製造することが望ましい。本発明で、前記のような乳化重合は、この分野で公知となっている一般的な乳化剤、重合開始剤又は酸化還元触媒などを使用して行うこともできる。
【００４０】
本発明で、前記のような加工助剤は、生分解性樹脂１００重量部に対して、１重量部〜６０重量部、望ましくは２重量部〜４０重量部、より望ましくは５重量部〜３０重量部で含まれる。本発明で加工助剤の含量が１重量部未満であると、加工助剤による物性改善効果が微々たるものになるおそれがあり、加工助剤の含量が６０重量部を超えると、溶融効率低下などによって加工性が低下するおそれがある。
【００４１】
本発明の壁紙で、樹脂層は、滑剤をさらに含むことができる。滑剤は、本発明の樹脂層の成形時にカレンダーローラーなどの金属設備の表面を潤滑させて流動性を改善し、金属設備と樹脂の粘着を防止し、スリップ性を向上させ、溶融粘度を調節し、成形加工性を改善することができる。
【００４２】
本発明で使用可能な滑剤の種類は、上述した作用を行うものであれば特別に制限されず、例えば、ステアリン酸又はステアリン酸金属塩（例えば、カルシウム塩、マグネシウム塩、又は亜鉛塩）や、エステル又はアミド形態の合成ワックスや、モンタンワックス、パラフィンワックス又は鉱油などの炭化水素や、シリコンなどを滑剤として使用することができる。
【００４３】
本発明の樹脂層は、前記滑剤を生分解性樹脂１００重量部に対して、０.０１重量部〜３０重量部、望ましくは０.１重量部〜２０重量部、より望ましくは１重量部〜１０重量部の量で含むことができる。本発明で滑剤の含量が０.０１重量部未満であると、滑剤の添加による成形性改善効果が微々たるものになるおそれがあり、滑剤の含量が３０重量部を超えると、インクとの接着力低下で壁紙の印刷適性が悪化したり、層間接着力の低下で他の層との合板が難しくなるおそれがある。
【００４４】
また、本発明の樹脂層はフィラーをさらに含むことができる。前記のようなフィラーは、本発明の樹脂層の強度増加、加工性向上、安着性付与及び原材料費節減などを目的にして付加することができる。
【００４５】
本発明で使用可能なフィラーの具体的な種類は特別に制限されず、炭酸カルシウム、シリカ又はアルミナなどの無機系フィラー、又は、木質系フィラー（例えば、木粉、木チップ）、コルク、ケナフ又はパルプなどの有機系フィラーの一種又は二種以上の混合を使用することができる。特に、本発明では、有機系フィラー及び無機系フィラーの混合、望ましくは炭酸カルシウム及び木粉の混合フィラーを使用することができ、必要に応じては、製品の軽量化及び原材料費の節減などを目的にしてパーライト（ｐｅｒｌｉｔｅ）などの軽量無機系フィラーやエアロゾル（ａｅｒｏｓｏｌ）などの軽量有機系フィラーをさらに使用することができる。前記のようなフィラーは、生分解性樹脂との相溶性に優れ、樹脂層内に均一に分散される。また、前記フィラーは、特に可塑剤との親和性に優れ、可塑剤の溶出を抑制できるので、樹脂層内での可塑剤の含量を相対的に高く設定することができ、また、柔軟性に優れた製品を製造することができる。
【００４６】
本発明の樹脂層で、前記フィラーの含量は、適用用途によって変わり、例えば、生分解性樹脂１００重量部に対して、１，２００重量部以下、望ましくは３００重量部〜１，０００重量部、より望ましくは５００重量部〜８００重量部の範囲内に調節することができる。本発明でフィラーの量が過度に少ないと、加工性、原材料費節減、安着性及び強度増加効果が微々たるものになるおそれがあり、その反対に、フィラーの量が過度に多くなると、樹脂などの他の成分の結合力が低下し、加工性が低下するおそれがある。
【００４７】
また、本発明の樹脂層は、用途によって、例えば、酸化防止剤、紫外線安定剤、発泡剤、架橋剤又は顔料などの一種又は二種以上の添加剤をさらに含むことができる。
【００４８】
本発明では、図２に示すように、壁紙２が、前記樹脂層２０上に形成された印刷層３０をさらに含むことができる。このように、印刷層３０をさらに形成することによって、壁紙に多様な模様又は色相を与えることができ、これによって、壁紙の審美性を向上させることができる。本発明で、印刷層を形成する方法は特別に制限されず、例えば、デジタル実写印刷、グラビア印刷、スクリーン印刷、オフセット印刷、フレキソ印刷又はロータリー印刷などのような公知の方法を使用して印刷層を形成することができる。
【００４９】
また、本発明の壁紙では、前記樹脂層又は印刷層にエンボスパターンを与えることができる。このようにエンボスパターンを与えることによって、壁紙の立体感を向上させることができる。本発明で、前記エンボスパターンを形成する方法は特別に限定されず、例えば、樹脂層又は印刷層をパターンが形成されたローラーでローリング処理したり、又は、樹脂層などに適切な発泡剤などを配合した後、発泡及びゲル化（ｇｅｌｌｉｎｇ）工程などを経てエンボスパターンを形成することができる。
【００５０】
本発明で、前記のような壁紙を製造する方法は特別に制限されない。本発明では、例えば、既存のＰＶＣ壁紙の製造工程を適宜採用することによって前記壁紙を製造することができる。
【００５１】
本発明で、前記壁紙は、例えば、基材シート上に生分解性樹脂を含む組成物を使用して樹脂層を形成することを含むことができる。
【００５２】
本発明の方法で、生分解性樹脂を含む組成物を使用して樹脂層を形成する方法は特別に制限されない。
【００５３】
本発明では、例えば、公知の手段を使用して基材シートを供給しながら、前記基材シート上に生分解性樹脂を含む組成物を適切な厚さでコーティングし、乾燥、熟成又は硬化工程を経て樹脂層を形成することができ、この過程で必要に応じて適切な発泡又はゲル化工程をさらに行うこともできる。
【００５４】
前記生分解性樹脂を含む組成物又はコーティング液は、目的とする生分解性樹脂、可塑剤及びその他添加剤を配合し、その粘度を溶剤などを使用して調節することによって製造することができる。
【００５５】
また、生分解性樹脂を含む組成物又はコーティング液を基材シートにコーティングする方法は特別に制限されず、例えば、ナイフコーター又はロールカッターなどの手段を使用してコーティングを行うことができる。
【００５６】
また、本発明では、生分解性樹脂含有組成物を押出成形、中空成形、プレス成形又はカレンダリング成形などに適用してフィルム又はシートに製造し、これを基材シートと合板する方法で樹脂層を基材シート上に形成することもできる。例えば、Ｔダイ押出工法で前記組成物を使用してフィルム又はシートを製造すると共に、前記フィルム又はシートの製造後又は製造と同時に、これを基材シート上に合板する方式で樹脂層を形成することもできる。
【００５７】
本発明で、前記のような工程後に乾燥、熟成又は硬化工程を行う条件は特別に制限されず、使用された組成物の組成などを考慮して適宜選択することができる。
【００５８】
また、本発明では、前記樹脂層の形成過程で供給される基材シートに所定の応力を加え、基材シートがぴんと引っ張られた状態で工程に適用されるようにすることができる。このような過程を経ることによって、より効率的に塗布工程を行うことができる。この過程で基材シートに応力を与える方法は特別に限定されず、例えば、ＥＰＣ（Ｅｄｇｅ  Ｐｏｉｎｔ  Ｃｏｎｔｒｏｌ）などの公知の機器を使用して基材シートに応力を与えることができる。
【００５９】
また、本発明では、基材シート上に樹脂層を形成した後、前記樹脂層に印刷工程を行い、印刷層を形成する工程をさらに行うことができる。このとき、印刷層を形成する方法は特別に限定されず、例えば、上述したような各種の印刷工法を適用することができる。
【００６０】
また、本発明では、前記印刷層の形成前又は形成後に、樹脂層又は印刷層にエンボスパターンを与える工程をさらに行うことができる。本発明でエンボスパターンを与える方法は特別に限定されず、例えば、樹脂層内に発泡剤などの添加剤を添加した後、発泡及びゲル化したり、又はエンボスパターンが形成されたロールを用いてローリングする方法などを使用することができる。ローリングを通してエンボスパターンを壁紙に与える場合、ローラーとしては、通常の加圧ローラー又はスチールローラーなどを使用することができる。また、ローリング工程時には、ローラーの左右圧力を同一に制御し、壁紙の左右の厚さ偏差を最小化することが望ましいが、これに制限されることはない。すなわち、本発明では、必要に応じて壁紙の左右などに厚さ偏差を誘導することもできる。
【００６１】
以下、本発明に係る実施例を通して本発明をより詳細に説明するが、本発明の範囲が下記の実施例に制限されることはない。
【００６２】
実施例１.
【００６３】
ポリ乳酸（ＰＬＡ）及びブチレンアジペート―テレフタレート共重合体（ＰＢＡＴ）を９：１の重量比（ＰＬＡ：ＰＢＡＴ）で含む生分解性樹脂１００重量部に対して、無機成分（ナノクレイ）１０重量部を配合し、安定剤などのその他添加剤を適宜配合して樹脂組成物を製造した。続いて、製造された樹脂組成物をＴダイ押出工法に適用して樹脂層を製造し、製造された樹脂層を坪量が１００ｇ／ｍ2である基材シート（模造紙）に合板した。その後、樹脂層にグラビア工法で印刷層を形成し、予熱されたエンボスロールを使用してエンボスパターンを形成することによって壁紙を製造した。その後、製造された壁紙に対して、ＩＳＯ２４３に規定された方法にしたがって剛性（ｓｔｉｆｆｎｅｓｓ）を測定した。測定の結果、製造された壁紙の幅方向（壁紙生産ラインでローラーと水平をなす方向）の剛性は約２６.８ｇｆ・ｃｍで、長さ方向（前記幅方向と垂直方向）の剛性は約３０.８ｇｆ・ｃｍであった。これと同一の測定結果から、本発明の場合、生分解性樹脂を使用して優れた柔軟性及び審美性などの物性を有する壁紙を製造できることを確認することができた。
【００６４】
実施例２.
【００６５】
生分解性樹脂として、ポリ乳酸（ＰＬＡ）及びブチレンアジペート―テレフタレート共重合体（ＰＢＡＴ）を７：３の重量比（ＰＬＡ：ＰＢＡＴ）で含む複合樹脂を使用したことを除いては、実施例１と同一の方式で壁紙を製造した。製造された壁紙に対して、実施例１と同一の方式で剛性を測定した結果、幅方向の剛性は約１８.３ｇｆ・ｃｍで、長さ方向の剛性は約２０.９ｇｆ・ｃｍであることから、本発明の方法によって、柔軟性及び審美感などに優れた壁紙を製造できることを確認することができた。
【符号の説明】
【００６６】
１、２：壁紙、１０：基材シート、２０：樹脂層、３０：印刷層
【図１】
0005649581.tif 000002
【図２】
0005649581.tif 000003